(57)【要約】【課題】扉を閉じた状態であっても、外部から内部の温度分布を可視化可能な電子機器収納ラックを提供する。【解決手段】制御開始に伴って、温度センサＳｉの検知データ（Ｔｉ）の取り込みが行われる（ステップＳ１０）。次にＴｉが３０℃以上か否かが判定される（ステップＳ１１）。３０℃未満のときはＬＥＤ（ｉ）を緑色に点灯させる（ステップＳ１４）。３０℃以上のときは、次いでＴｉが３５℃以上か否かを判定する（ステップＳ１２）。３５℃未満のときはＬＥＤを赤色に点灯させる（ステップＳ１５）。３５℃以上のときは、次いでＴｉが４０℃以上か否かを判定する（ステップＳ１３）。４０℃未満のときはＬＥＤを遅い速度モードで赤色点滅させる（ステップＳ１５）。４０℃以上のときは、速い速度モードによりＬＥＤを赤色点滅させる（ステップＳ１５）。さらに、警報転送部９ｂに対して外部に警報を発報することを指令する。【選択図】図６
2007115182.tif 000002
【特許請求の範囲】
【請求項１】
サーバ等を収納する電子機器収納ラックであって、
ラック内部に配設した複数の温度センサと、
ラック外板部に配設した各温度センサと対応する複数のＬＥＤと、
温度センサの検知温度が所定の設定温度を超えたときに、対応するＬＥＤを点灯又は点滅表示させる手段と、
を備えて成ることを特徴とする電子機器収納ラック。
【請求項２】
前記外板部が扉面であることを特徴とする請求項１に記載の電子機器収納ラック。
【請求項３】
前記ＬＥＤと前記温度センサとを、表裏一体に構成したことを特徴とする請求項１又は２に記載の電子機器収納ラック。
【請求項４】
前記設定温度を複数持ち、各設定温度により区画される温度範囲ごとに、前記ＬＥＤを予め設定した異なる色又は異なる点滅速度で表示させる手段を、さらに備えて成ることを特徴とする請求項１乃至３に記載の電子機器収納ラック。
【請求項５】
いずれかの前記温度センサの検知温度が、収納する電子機器の許容温度を超えたときに警報を発する手段を、さらに備えて成ることを特徴とする請求項１乃至４に記載の電子機器収納ラック。
【発明の詳細な説明】
【技術分野】
【０００１】
本発明は、サーバ等の情報通信機器を収納する電子機器収納ラックに関し、特に、ラック内部の温度分布を常時、目視確認できる電子機器収納ラックに関する。
【背景技術】
【０００２】
情報処理技術及び通信技術の発達に伴って、サーバやルータ等の情報通信機器を室内に高集約化するケースが多くなり、その結果、これらの機器類を収納する電子機器収納ラック内部は、局部的に高温部が生じやすくなる傾向にある。これらの機器を構成する部品の動作許容温度は一般に室温程度であり、周囲空気がこれより高温になった場合、機器自身が保護制御により自動停止してサービスが継続できなくなったり、機器の構成部品が破壊されて故障に至るおそれがある。
【０００３】
このため、従来、ラック内部に温度センサを配設してラック内温度を監視し、また温度を均一に制御するためにラック底面に設けた循環ファンを駆動する技術が公知である（例えば、特許文献１参照）。
しかしながら、ラック内部の温度分布は格納する電子機器の発熱量、格納位置等により均一とはならず、熱溜りが生じやすいという問題がある。このため、内部の温度分布を明確に把握できる電子機器収納ラックが求められていた。
【特許文献１】特開２０００−１６５０７９号公報
【発明の開示】
【発明が解決しようとする課題】
【０００４】
本発明は上記課題に鑑みてなされたものであって、扉を閉じた状態であっても外部からラック内部の温度分布を常時、目視確認できる電子機器収納ラックを提供することを目的とする。
【課題を解決するための手段】
【０００５】
上記課題を解決するために本発明に係る電子機器収納ラックは、サーバ等を収納する電子機器収納ラックであって、ラック内部に配設した複数の温度センサと、ラック外板部に配設した各温度センサと対応する複数のＬＥＤと、温度センサの検知温度が所定の設定温度を超えたときに、対応するＬＥＤを点灯又は点滅表示させる手段と、を備えて成ることを特徴とする（請求項１）。
【０００６】
請求項２の発明は、上記において外板部が扉面であることを特徴とする。
請求項３の発明は、上記においてＬＥＤと前記温度センサとを表裏一体に構成したことを特徴とする。
請求項４の発明は、上記において設定温度を複数持ち、各設定温度により区画される温度範囲ごとに、ＬＥＤを予め設定した異なる色又は異なる点滅速度で表示させる手段を、さらに備えて成ることを特徴とする。
請求項５の発明は、上記において、いずれかの前記温度センサの検知温度が収納する電子機器の許容温度を超えたときに警報を発する手段を、さらに備えて成ることを特徴とする。
【発明の効果】
【０００７】
本発明によれば、ラック内部の温度分布を可視化することにより外部から容易に把握できるため、熱溜りを容易に発見でき、機器の自動停止によるサービス停止や、構成部品の熱破壊による機器故障等を防止することができる。
また、ＬＥＤと温度センサとを表裏一体に構成する発明にあっては、設置容易化及びコストダウンを図ることが可能となる。
一方、ＬＥＤを温度センサと分離して設ける発明にあっては、温度センサをラック内の任意の位置に取り付けることができるため、例えば、発熱の大きい装置周りや排気ファン近傍等、問題発生箇所に注目したラック内部の実態把握が可能となるという効果がある。
【発明を実施するための最良の形態】
【０００８】
以下、本発明に係る空調機温度制御方法の実施形態について、図１乃至６を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【０００９】
（第一の実施形態）
図１は、本実施形態に係る電子機器収納ラック１の全体構成を示す図であり、このうち、（ａ）は閉扉状態、（ｂ）は開扉状態を示す図である。図２は、図１中のＡ−Ａ’断面を示す図である。図３は、ラック１の制御系統の構成を示すブロック図である。図４は、制御基板４の詳細を示す図である。図５は、本実施形態における制御フローを示す図である。
【００１０】
図１を参照して、電子機器収納ラック１は直方体形状に構成したフレーム部９の上面部、底面部、側面部に金属製パネル１１ａ乃至１１ｅを取り付けた構造を備えている。ラック１の前面には、機器の出し入れを行うための扉部３がヒンジ（図示せず）により開閉自在に設けられている。ラック１の内部には、サーバ７がフレームレール１２ａ、１２ｂに固定されて収納されている。なお、フレームレール１２ａ、１２ｂは、フレーム部９に固定されている。扉部３の裏面側には複数の制御基板４が左右及び上下方向にそれぞれ等間隔に配設されている。図２を参照して、制御基板４にはＬＥＤランプ６と温度センサ５が表裏一体をなして取り付けられており、ＬＥＤランプ６は、扉部３に設けられた孔部３ａにより外部から目視できるように構成されている。ＬＥＤランプ６としては、赤色・緑色を発光可能な２つのダイオードを用いている。
【００１１】
ラック１の底部には電源ボックス１６が設置されている。各制御基板４と電源ボックス１６間には電力供給及び信号送信用の電線束１０が配線されており、後述するＬＥＤ、ＣＰＵへの電力供給及び警報転送を行うように構成されている。ラック１の下方側面にはコンセント８が設置されており、これを介して電源ボックス１６に電源供給される。
【００１２】
次に、本実施形態における電源供給及び制御系統の構成について説明する。図３を参照して、電源供給及び制御系統は、扉部３に配設された複数の制御基板４とラック１内部に配設された電源ボックス１６を主要構成とする。電源ボックス１６は、ＬＥＤランプ６、ＣＰＵ１５ｃに電力を供給する電源部１６ａと、後述する設定温度超過の場合にＣＰＵ１５ｃから送信される警報を信号線１７ｂを介して、外部監視装置（図示せず）に転送する警報転送部１６ｂを備えている。
図４を参照して、制御部１５は、ラック内温度監視制御を司るＣＰＵ１５ｃ、ＣＰＵ１５ｃからの指令に基づいてＬＥＤランプ６の発光動作を行うＬＥＤドライブ回路部１５ｂ、ＬＥＤランプ６及び警報転送部との信号インターフェイスを行うＩ／Ｏ回路部１５ａ、本制御のプログラム等を格納するメモリ部１５ｅ、温度センサ５からのアナログ電圧信号をデジタル化するＡ／Ｄ変換部１５ｄを主要構成とする。
【００１３】
電子機器収納ラック１は以上のように構成されており、次に図５をも参照して本実施形態におけるラック内温度検知及びＬＥＤランプ６による温度可視化方法について説明する。ここでは、複数の温度センサとＬＥＤランプの対の中のｉ番目のＬＥＤ点灯制御について例示説明する。なお、以下の制御はＣＰＵ１５ｃの指令に基づいて行われる。制御開始に伴って温度センサ検知データ（Ｔｉ）の取り込みが行われる（ステップＳ１０）。次にＴｉが３０℃以上か否かが判定される（ステップＳ１１）。３０℃未満のときは該当するＬＥＤ（ｉ）を緑色に点灯させる（ステップＳ１４）。３０℃以上のときは、次いでＴｉが３５℃以上か否かを判定する（ステップＳ１２）。３５℃未満のときはＬＥＤを赤色に点灯させる（ステップＳ１５）。３５℃以上のときは、次いでＴｉが４０℃以上か否かを判定する（ステップＳ１３）。４０℃未満のときはＬＥＤを赤色点滅させる（ステップＳ１５）。この場合、点滅速度は遅いモードで行う。４０℃以上のときは、点滅速度の速いモードによりＬＥＤを赤色点滅させる（ステップＳ１５）。さらに、警報転送部９ｂに対して外部警報発報を指令する。以上の判定及び表示等が全てのＬＥＤに対して行われる。このような制御及び表示を行うことにより、ラック内の温度分布状態を扉面から目視でき、さらに収納する電子機器類の許容温度超えを防止することが可能となる。
【００１４】
なお、本実施形態における設定温度、発光色等は例示であり、ラック内に搭載する機器類の発熱量、使用するＬＥＤの特性等に対応して最適の値、色彩等を選択できることはいうまでもない。
また、本実施形態では温度センサ・ＬＥＤランプ対ごとに制御部を持つ分散形態としたが、各温度センサ・ＬＥＤランプ対を一括して制御する形態とすることも可能である。
【００１５】
（第二の実施形態）
次に、本発明の他の実施形態について説明する。図６は、本実施形態に係る電子機器収納ラック２０を示す図であり、このうち、（ａ）は閉扉状態、（ｂ）は開扉状態を示す図である。ラック２０が第一の実施形態に係る電子機器収納ラック１と異なる点は、ＬＥＤランプと温度センサが一体に構成されているのではなく、これらが分離して配設されていることである。すなわち、ＬＥＤランプ２１は第一の実施形態と同様に扉部３裏面に配置されているが、温度センサ２２はラック内部に分散して取り付けられている。なお、取付位置は電子機器類の発熱特性に応じて適切な位置を選択することができる。その他の構成については第一の実施形態と同一であるので説明を省略する。さらに、制御系統の構成及びラック内温度検知及び表示方法についても第一の実施形態と同一である。
ＬＥＤランプを温度センサと分離してラック内の任意の位置に取り付けることにより、例えば、発熱の大きい装置周りや排気ファン近傍等、問題発生箇所に注目したラック内部の実態把握が可能となる。
【産業上の利用可能性】
【００１６】
本発明は、分野を問わず発熱性の機器を収納する収納ラックに広く適用可能である。
【図面の簡単な説明】
【００１７】
【図１】第一の実施形態に係る電子機器収納ラック１の全体構成を示す図である。
【図２】図１における扉部３のＡ−Ａ’断面を示す図である。
【図３】ラック１の制御系統の構成を示すブロック図である。
【図４】制御基板４の詳細を示す図である。
【図５】第一の実施形態における制御フローを示す図である。
【図６】第二の実施形態に係る電子機器収納ラック２０の全体構成を示す図である。
【符号の説明】
【００１８】
１・・・・電子機器収納ラック
３・・・・扉部
４・・・・制御基板
５、２２・・・・温度センサ
６、２１・・・・ＬＥＤランプ
７・・・・サーバ
１５・・・・制御部
１６・・・・電源ボックス
【図１】
2007115182.tif 000003
【図２】
2007115182.tif 000004
【図３】
2007115182.tif 000005
【図４】
2007115182.tif 000006
【図５】
2007115182.tif 000007
【図６】
2007115182.tif 000008